(57)【要約】【課題】  Ｕ型フェライトコア同士の組み合わせであっても、その足部の高さ寸法と、両足部を連絡する連絡部の長さ寸法とを適切に設定することで、薄型化に対応可能とし、また電磁気特性の安定化を図る。【解決手段】  複数の巻線を巻回したボビン２０の内側に磁気回路のギャップＧを設けたトランス装置であり、第１及び第２のＵ型フェライトコア１１，１２を組み合わせて前記磁気回路を形成し、一方のＵ型フェライトコアの足部の高さ寸法をＹ、両足部を連絡する連絡部の長さ寸法をＸとしたときに、寸法比率Ｙ＞Ｘに設定し、一方の対向する足部間に前記ギャップＧを形成する。【選択図】        図１
2005191165.tif 000002
【特許請求の範囲】
【請求項１】
複数の巻線を巻回したボビンの内側に磁気回路のギャップを設けたトランス装置において、
Ｕ型フェライトコアの足部の高さ寸法をＹ、両足部を連絡する連絡部の長さ寸法をＸとしたときに、寸法比率Ｙ＞ＸのＵ型フェライトコアを２つ組み合わせて前記磁気回路を形成し、一方の対向する足部間に前記ギャップを形成したことを特徴とするトランス装置。
【請求項２】
複数の巻線を巻回したボビンの内側に磁気回路のギャップを設けたトランス装置において、
第１及び第２のＵ型フェライトコアを組み合わせて前記磁気回路を形成し、前記第１及び第２のＵ型フェライトコアの足部の高さ寸法をＹ１及びＹ２、連絡部の長さ寸法をＸ１及びＸ２としたとき、
Ｙ１＞１．５（Ｘ１）  （但しＹ１＞Ｙ２、Ｘ１＝Ｘ２）
であり、一方の対向する足部間に前記ギャップを形成したことを特徴とするトランス装置。
【請求項３】
Ｕ型フェライトコアの足部の高さ寸法をＹ、両足部を連絡する連絡部の長さ寸法をＸとしたときに、寸法比率Ｙ＞ＸのＵ型フェライトコアを２つ組み合わせ、一方の対向する足部間にギャップを形成したことを特徴とするトランス装置用コア構造体。
【請求項４】
第１及び第２のＵ型フェライトコアを組み合わせてなり、第１のＵ型フェライトコアの足部の高さ寸法をＹ１、連絡部の長さ寸法をＸ１、第２のＵ型フェライトコアの足部の高さ寸法をＹ２、連絡部の長さ寸法をＸ２としたとき、
Ｙ１＞１．５（Ｘ１）  （但しＹ１＞Ｙ２、Ｘ１＝Ｘ２）
であり、一方の対向する足部間にギャップを形成したことを特徴とするトランス装置用コア構造体。
【発明の詳細な説明】
【技術分野】
【０００１】
本発明は、液晶ディスプレイのバックライト用インバータ等に用いられる薄型のトランス装置及びトランス装置用コア構造体に関するものである。 
【背景技術】
【０００２】
液晶ディスプレイのバックライト用インバータ等に用いられるトランス装置としては、薄型であることが求められるため、図４のように両側の足部が短いＵ型フェライトコア１とＩ型フェライトコア２を組み合わせ、Ｉ型フェライトコア２の方に巻線４を巻装したボビン３を装着し磁気回路を形成したものが知られている。
【０００３】
このようにＵ型フェライトコアとＩ型フェライトコアを用いた液晶ディスプレイのバックライト用インバータ等に用いられるトランス装置の公知例としては下記特許文献１がある。
【０００４】
また、図５のように一般的なＵ型フェライトコア５を組み合わせて磁気回路を構成することも知られている。
【０００５】
フェライト等のＵ型コア同士を組み合わせたトランス装置の例は下記特許文献２に示され、ここでは、漏洩磁束を低減するために、一般的なＵ型コアを用いてトランスのコイルを重畳して巻くことが記載されている。
【０００６】
【特許文献１】特開２００３−１００５３０号公報
【特許文献２】特開２００３−１１５４１５号公報
【０００７】
ところで、図４のようにＵ型フェライトコア１とＩ型フェライトコア２を組み合わせた磁気回路において、コア間にギャップを設ける場合に、ギャップ位置はボビンの外側となり、磁束漏れが生じる問題がある。
【０００８】
また、図５のように一般的なＵ型フェライトコア５（両側の足部の高さ寸法をＹ、両足部を連絡する連絡部の長さ寸法をＸとしたとき、Ｘ≧Ｙ）の組み合わせでは、薄型のトランス装置に適さない問題がある。
【発明の開示】
【発明が解決しようとする課題】
【０００９】
本発明は、上記の点に鑑み、Ｕ型フェライトコア同士の組み合わせであっても、その足部の高さ寸法と、両足部を連絡する連絡部の長さ寸法とを適切に設定することで、薄型化に対応可能とし、またコア間のギャップはボビン内側位置となるようにして、電磁気特性の安定化を図ることのできるトランス装置及びトランス装置用コア構造体を提供することを目的とする。
【００１０】
本発明のその他の目的や新規な特徴は後述の実施の形態において明らかにする。
【課題を解決するための手段】
【００１１】
上記目的を達成するために、本願請求項１の発明は、複数の巻線を巻回したボビンの内側に磁気回路のギャップを設けたトランス装置において、
Ｕ型フェライトコアの足部の高さ寸法をＹ、両足部を連絡する連絡部の長さ寸法をＸとしたときに、寸法比率Ｙ＞ＸのＵ型フェライトコアを２つ組み合わせて前記磁気回路を形成し、一方の対向する足部間に前記ギャップを形成したことを特徴としている。
【００１２】
本願請求項２の発明は、複数の巻線を巻回したボビンの内側に磁気回路のギャップを設けたトランス装置において、
第１及び第２のＵ型フェライトコアを組み合わせて前記磁気回路を形成し、前記第１及び第２のＵ型フェライトコアの足部の高さ寸法をＹ１及びＹ２、連絡部の長さ寸法をＸ１及びＸ２としたとき、
Ｙ１＞１．５（Ｘ１）  （但しＹ１＞Ｙ２、Ｘ１＝Ｘ２）
であり、一方の対向する足部間に前記ギャップを形成したことを特徴としている。
【００１３】
本願請求項３の発明に係るトランス装置用コア構造体は、Ｕ型フェライトコアの足部の高さ寸法をＹ、両足部を連絡する連絡部の長さ寸法をＸとしたときに、寸法比率Ｙ＞ＸのＵ型フェライトコアを２つ組み合わせ、一方の対向する足部間にギャップを形成したことを特徴としている。
【００１４】
本願請求項４の発明に係るトランス装置用コア構造体は、第１及び第２のＵ型フェライトコアを組み合わせてなり、第１のＵ型フェライトコアの足部の高さ寸法をＹ１、連絡部の長さ寸法をＸ１、第２のＵ型フェライトコアの足部の高さ寸法をＹ２、連絡部の長さ寸法をＸ２としたとき、
Ｙ１＞１．５（Ｘ１）  （但しＹ１＞Ｙ２、Ｘ１＝Ｘ２）
であり、一方の対向する足部間にギャップを形成したことを特徴としている。
【発明の効果】
【００１５】
本発明によれば、寸法比率を変えたＵ型フェライトコアを組み合わせることによって、トランス装置の薄型化を図るとともに磁路長を長く設定可能にし、ギャップ長を小さくすることができるため（磁路長が大きいければ磁気抵抗が増加し、ギャップ側の磁気抵抗は小さくて済むから）、漏洩磁束を少なくすることができ、電磁気特性の安定した薄型のトランス装置が得られる。
【発明を実施するための最良の形態】
【００１６】
以下、本発明を実施するための最良の形態として、トランス装置及びトランス装置用コア構造体の実施の形態を図面に従って説明する。
【００１７】
図１は本発明の実施の形態であってトランス装置を示し、図２はそれに用いるコア構造体を示す。これらの図において、第１のＵ型フェライトコア１１と第２のＵ型フェライトコア１２とを組み合わせることでコア構造体１０が構成されており、第１及び第２のＵ型フェライトコア１１，１２の一方の足部同士は実質的にギャップが生じないように突き合わされ、他方の足同士はギャップＧ（エアーギャップ又は非磁性スペーサを挿入したスペーサギャップ）が生じるように２ｍｍ以内の微小間隙で対向している。なお、液晶ディスプレイのバックライト用インバータに使用するトランス装置では、ギャップを設ける場合が多いが、ギャップ長が２ｍｍを超えると、漏洩磁束が増大するので好ましくない。
【００１８】
絶縁プラスチック等のボビン２０には複数の巻線、すなわち第１及び第２巻線３１，３２が巻回されており、ボビン２０の内側に前記第１及び第２のＵ型フェライトコア１１，１２のギャップＧを形成する側の足部が挿入配置される。ボビン２０の内側にギャップＧがあることで磁束の漏洩を少なくすることができる。
【００１９】
図２を用いてコア構造体１０について説明する。このコア構造体１０は、第１及び第２のＵ型フェライトコア１１，１２を組み合わせてなり、第１のＵ型フェライトコア１１の足部の高さ寸法をＹ１、連絡部の長さ寸法をＸ１、第２のＵ型フェライトコア１２の足部の高さ寸法をＹ２、連絡部の長さ寸法をＸ２としたとき、
Ｙ１＞１．５（Ｘ１）  （但しＹ１＞Ｙ２、Ｘ１＝Ｘ２）
となっている。Ｙ１がＸ１の１．５倍以下であると、足部方向の磁路長を大きくする効果が薄れるので望ましくない。
【００２０】
前記第１及び第２のＵ型フェライトコア１１，１２の一方の足部は微小間隔で対向することでギャップＧを形成している。
【００２１】
なお、図１中、コア構造体１０内のΦは磁束の流れを示している。
【００２２】
この実施の形態によれば、次の通りの効果を得ることができる。
【００２３】
(1)  一般的なＵ型フェライトコアに比較して寸法比率を変えたＵ型フェライトコア１１，１２を組み合わせることによって、コア構造体１０を構成しており、すなわち、第１及び第２のＵ型フェライトコア１１，１２の足部の高さ寸法をＹ１及びＹ２、連絡部の長さ寸法をＸ１及びＸ２としたとき、
Ｙ１＞１．５（Ｘ１）  （但しＹ１＞Ｙ２、Ｘ１＝Ｘ２）
となるように設定したので、各Ｕ型フェライトコアの連絡部の長さ寸法Ｘ１及びＸ２を短くしてトランス装置外形の薄型化を図るとともに、両Ｕ型フェライトコアの足部高さ寸法の和は十分長くして必要な磁路長を確保できる。
【００２４】
(2)  トランス装置外形を薄型化してもコア構造体１０の磁路長を長く設定可能であり、ギャップＧの長さを２ｍｍ以内に小さくでき（コア側の磁路長が大きいければ、その部分の磁気抵抗が増加し、ギャップＧの磁気抵抗は小さくて済むから）、ギャップＧに起因する漏洩磁束を少なくすることができ、ギャップＧがボビン２０の内側に位置することで電磁気特性の安定した薄型トランス装置が得られる。
【００２５】
図３は本発明に係るトランス装置に使用できるコア構造体の他の実施の形態を示す。この場合、Ｕ型フェライトコアの足部の高さ寸法をＹ、両足部を連絡する連絡部の長さ寸法をＸとしたときに、寸法比率Ｙ＞ＸのＵ型フェライトコア１５を２つ組み合わせて磁気回路を形成している。２つのＵ型フェライトコア１５の一方の足部は実質的にギャップが生じないように突き合わされ、他方の足同士はギャップＧ（エアーギャップ又は非磁性スペーサを挿入したスペーサギャップ）が生じるように２ｍｍ以内の微小間隙で対向している。トランス装置を構成する場合、図１の場合と同様に、ボビンの内側にＵ型フェライトコア１５のギャップＧを形成する側の足部をそれぞれ挿入配置すればよい。
【００２６】
以上本発明の実施の形態について説明してきたが、本発明はこれに限定されることなく請求項の記載の範囲内において各種の変形、変更が可能なことは当業者には自明であろう。
【図面の簡単な説明】
【００２７】
【図１】本発明に係るトランス装置及びトランス装置用コア構造体の実施の形態を示す一部を断面とした平面図である。
【図２】前記トランス装置用コア構造体の平面図である。
【図３】本発明に係るトランス装置用コア構造体の他の実施の形態を示す平面図である。
【図４】従来のトランス装置の１例を示す一部を断面とした平面図である。
【図５】一般的なＵ型フェライトコアを２つ組み合わせたコア構造体の例を示す平面図である。
【符号の説明】
【００２８】
１，５，１１，１２，１５  Ｕ型フェライトコア
２  Ｉ型フェライトコア
３，２０  ボビン
４，３１，３２  巻線
１０  コア構造体
Ｇ  ギャップ
【図１】
2005191165.tif 000003
【図２】
2005191165.tif 000004
【図３】
2005191165.tif 000005
【図４】
2005191165.tif 000006
【図５】
2005191165.tif 000007